(57)【特許請求の範囲】
【請求項１】
関門交換局との間に形成された入方路に生起し、かつ複数の無線基地局の配下に個別に形成された無線ゾーンに位置し得る移動局の何れかに着信すべき呼について、これらの無線基地局と連係することによって負荷分散方式の分散処理として呼処理を行う複数Ｐの分散呼処理手段と、
前記関門交換局と前記複数の無線基地局との間に、前記複数Ｐの分散呼処理手段によって行われる呼処理の手順に基づいて通話路を形成する通話路形成手段とを備え、
前記複数Ｐの分散呼処理手段は、
前記移動局の位置情報をデータベースとして有するホームメモリ局によって与えられ、かつ前記呼の着信先となるべき移動局にかかわる問い合わせに応じて、その移動局に対する着信の可否の判別と、これらの分散呼処理手段の内、この移動局が在圏する無線ゾーンのチャネル制御に整合した呼設定を行うべき分散呼処理手段の識別とを行い、このホームメモリ局と前記関門交換局との何れか一方にこれらの識別された分散呼処理手段と判別の結果とを通知する
ことを特徴とする移動体交換機。
【請求項２】
関門交換局との間に形成された入方路に生起し、かつ複数の無線基地局の配下に個別に形成された無線ゾーンに位置し得る移動局の何れかに着信すべき呼について、これらの無線基地局と連係することによって負荷分散方式の分散処理として呼処理を行う複数Ｐの分散呼処理手段と、
前記関門交換局と前記複数の無線基地局との間に、前記複数Ｐの分散呼処理手段によって行われる呼処理の手順に基づいて通話路を形成する通話路形成手段とを備え、
前記複数Ｐの分散呼処理手段は、
前記移動局の位置情報をデータベースとして有するホームメモリ局によって与えられ、かつ前記呼の着信先となるべき移動局にかかわる問い合わせに応じて、この移動局に対する着信の可否の判別を行い、その判別の結果をこのホームメモリ局に通知する
ことを特徴とする移動体交換機。
【請求項３】
請求項１に記載の移動体交換機において、
複数Ｐの分散呼処理手段は、
ホームメモリ局によって与えられた問い合わせに応じて呼の着信先となるべき移動局の選択呼び出しを試行し、これらの分散呼処理手段の内、その選択呼び出しに対する応答を得た分散呼処理手段をこの移動局が在圏する無線ゾーンのチャネル制御に整合した呼設定を行うべき分散呼処理手段と識別する
ことを特徴とする移動体交換機。
【請求項４】
請求項１に記載の移動体交換機において、
複数Ｐの分散呼処理手段は、
ホームメモリ局によって与えられた問い合わせに応じて呼の着信先となるべき移動局の選択呼び出しを試行し、その選択呼び出しに対する応答を自立的に識別した場合に限って、そのホームメモリ局と関門交換局との何れか一方に自装置を特定された分散呼処理手段として通知する
ことを特徴とする移動体交換機。
【請求項５】
請求項１または請求項２に記載の移動体交換機において、
ホームメモリ局によって与えられた問い合わせには、
複数の無線基地局の配下に個別に形成された無線ゾーンの内、呼の着信先となるべき移動局が位置し得る無線ゾーンの識別子が含まれ、
複数Ｐの分散呼処理手段は、
前記問い合わせに含まれる識別子で示される無線ゾーンのみについて前記呼の着信先となるべき移動局に対する着信の可否を判別する
ことを特徴とする移動体交換機。
【請求項６】
請求項１または請求項２に記載の移動体交換機において、
ホームメモリ局によって与えられた問い合わせには、
複数Ｐの分散呼処理手段の内、呼の着信先となるべき移動局が位置し得る無線ゾーンのチャネル制御に整合した呼処理を行うべき分散呼処理手段の識別子が含まれ、
前記複数Ｐの分散呼処理手段の内、前記問い合わせに含まれる識別子で示される分散呼処理手段が前記呼の着信先となるべき移動局に対する着信が可能か否かを判別する
ことを特徴とする移動体交換機。
【請求項７】
無線ゾーンに位置し得る個々の移動局について、これらの無線ゾーンの内、実際に位置する無線ゾーンを示す位置情報が格納されたホームメモリと、
前記移動局の何れかに着信すべき着信呼の生起により関門交換局から位置要求が通知されたときに、移動体交換局の内、その着信呼が生起した移動局について前記ホームメモリに格納されている位置情報で示される無線ゾーンのチャネル制御に整合した呼処理を行うべき移動体交換局、即ち、着信処理移動体交換局に、これらの位置情報と前記位置要求により通知された呼の識別子とを通知する制御手段と
を備えたホームメモリ・ノード装置であって、
前記制御手段は、着信処理移動体交換局から前記通知に対する応答が与えられたときに、無線ゾーンと移動局との双方あるいは何れか一方について、それぞれ呼処理の負荷を分担する移動体交換局の複数のサブモジュールの内、前記着信呼が生起した移動局が位置する無線ゾーンのチャネル制御に整合した呼処理を行うべきサブモジュールを前記関門交換局に識別させるためのサブモジュール識別子を前記応答から取得し、その取得したサブモジュール識別子を含んだ情報を前記位置要求に対する応答として前記関門交換局に通知する
ことを特徴とするホームメモリ・ノード装置。
【請求項８】
請求項７に記載のホームメモリ・ノード装置において、
前記制御手段は、前記着信処理移動体交換局に通知した位置情報を保持しておき、前記着信処理移動体交換局から該通知に対する応答が与えられたときに、保持している位置情報を、前記位置要求に対する応答として前記関門交換局に通知する情報に含ませる
ことを特徴とするホームメモリ・ノード装置。
【請求項９】
請求項７に記載のホームメモリ・ノード装置において、
前記ホームメモリには、移動体交換局に備えられ、かつ無線ゾーンと移動局との双方あるいは何れか一方について、それぞれ呼処理の負荷を分担する複数のサブモジュールから、特定のサブモジュールを識別するためのサブモジュール識別子が前記位置情報と共に格納され、
前記制御手段は、前記移動局の何れかに着信すべき着信呼の生起により関門交換局から位置要求が通知されたときに、その着信呼が生起した移動局について前記ホームメモリに格納されている位置情報とサブモジュール識別子とを取得し、前記着信処理移動体交換局に備えられた前記サブモジュールの内、取得したサブモジュール識別子で示されるサブモジュールに伝達するように、取得した位置情報と前記位置要求により通知された呼の識別子とを前記着信処理移動体交換局に通知する
ことを特徴とするホームメモリ・ノード装置。
【請求項１０】
請求項９に記載のホームメモリ・ノード装置において、
前記制御手段は、前記着信処理移動体交換局に通知を行った際に、前記取得したサブモジュール識別子を保持しておき、前記着信処理移動体交換局から該通知に対する応答が与えられたときに、該通知に対する応答から取得するサブモジュール識別子の代わりに、保持しているサブモジュール識別子を、前記位置要求に対する応答として前記関門交換局に通知する情報に含ませる
ことを特徴とするホームメモリ・ノード装置。
【請求項１１】
請求項８または請求項１０に記載のホームメモリ・ノード装置において、
前記ホームメモリには、移動局の位置情報に併せて、これらの移動局の属性が格納され、
前記制御手段は、移動局の内、呼が生起した移動局について前記ホームメモリに格納された属性を、前記位置要求に対する応答として前記関門交換局に通知する情報に更に含ませる
ことを特徴とするホームメモリ・ノード装置。
【請求項１２】
入方路に生起し、かつ複数の無線基地局の配下に個別に形成された無線ゾーンに位置し得る移動局の何れかに着信すべき呼に呼処理を施し、これらの無線ゾーンのチャネル制御に整合した呼処理を行う移動体交換局に対するその呼の中継を行う呼処理手段と、
前記入方路と前記移動体交換局との間に、前記呼処理手段によって行われた呼処理の手順に基づいて通話路を形成する通話路形成手段とを備え、
前記呼処理手段は、
前記移動局の内、前記呼の着信先となるべき移動局が在圏する無線ゾーンを示す位置情報の要求をホームメモリ局に発し、かつ前記移動体交換局の何れかに備えられたサブモジュールの内、その呼の呼処理の負荷を分担すべきサブモジュールの識別子を含む応答がこの位置情報の要求に対して与えられたときに、この呼の出方路をその識別子で示されるサブモジュールとの間に形成された出方路に設定する
ことを特徴とする関門交換機。
【請求項１３】
請求項１２に記載の関門交換機において、
位置情報の要求に対してホームメモリ局によって与えられた応答には、
呼の着信先となるべき移動局の属性が含まれ、
呼処理手段は、
前記応答に含まれる属性が所定の条件を満たすか否かを判別し、その判別の結果が真である場合に限って、前記呼の方路選定を行う
ことを特徴とする関門交換機。
【発明の詳細な説明】
【０００１】
【発明の属する技術分野】
本発明は、小ゾーン方式の移動通信システムにおいて、個々の移動局に生起した呼の呼処理の過程で連係し、かつ所定の負荷や機能を分担する複数のプロセッサが搭載された移動体交換機と、これらの移動局の位置情報を提供するホームメモリ・ノード装置と、これらの移動体交換機およびホームメモリ・ノード装置と連係し、所望の網とのインタフェースをとる関門交換機とに関する。
【０００２】
【従来の技術】
移動通信システムでは、安価であって性能が高く、かつ互いに連係する多数のプロセッサが無線基地局、基地局制御局および交換局に搭載されることによって、負荷分散と機能分散とが図られ、かつ増設、保守および運用にかかわる多様な形態に対する適応の柔軟性と総合的な信頼性と確保されている。
【０００３】
図１７は、分散処理方式が適用された移動通信システムの構成例を示す図である。
図において、関門交換機局６０は、局間リンク６１-1〜６１-Nを介して移動体交換局７０に接続され、かつ通信リンク６２を介してホームメモリ局８０に接続される。このホームメモリ局８０は、通信リンク８１-1〜８１-Nを介して移動体交換局７０の対応する通信ポートに接続される。移動体交換局７０は、ディジタルリンク７１-11〜７１-1n、…、７１-N1〜７１-Nnをそれぞれ介して無線基地局９０-1〜９０-Nに接続される。これらの無線基地局９０-1〜９０-Nによってそれぞれ形成された無線ゾーン９１-1〜９１-Nの内、例えば、無線ゾーン９１-3には、移動局９２が位置する。
【０００４】
移動体交換機７０は、下記の要素(1)〜(3)から構成される。
(1) 主プロセッサ（ＭＰＲ）７２
(2) その主プロセッサ７２の通信ポートに接続された通信リンク７３
(3) 主プロセッサ７２に通信リンク７３を介して接続された通信ポートを個別に有し、かつ添え番号ｉ(１≦ｉ≦Ｎ)に対して下記に示される局間リンク、通信リンクおよびディジタルリンクに接続されたサブモジュール７４-1〜７４-N
・  局間リンク６１-i
・  通信リンク８１-i
・  ディジタルリンク７１-i1〜７１-in
また、サブモジュール７４-1は、下記の要素(a)〜(e)から構成される。
【０００５】
(a) スイッチモジュール７５-1
(b) そのスイッチモジュール７５-1の制御端子に接続されたポートと、通信リンク７３に接続された既述の通信ポートとを有する呼プロセッサ（ＣＰＲ）７６  -1
(c) 局間リンク６１-1に直結され、かつスイッチモジュール７５-1のポートの内、その局間リンク６１-1に対応するポートに接続されたディジタルトランク（ＤＴ）７７Ｇ-1
(d) 通信リンク８１-1に直結され、かつスイッチモジュール７５-1のポートの内、その通信リンク８１-1に対応するポートに接続されたディジタルトランク（ＤＴ）７７Ｈ-1
(e) ディジタルリンク７１-11〜７１-1nに個別に直結され、かつスイッチモジュールのポートの内、これらのディジタルリンク７１-11〜７１-1nに対応する個々のポートに接続されたディジタルトランク（ＤＴ）７７Ｂ-11〜７７Ｂ-1n
なお、サブモジュール７４-2〜７４-Nの構成については、サブモジュール７４-1の構成と同じであるので、以下では、対応する構成要素に第一の添え文字として「２」〜「Ｎ」がそれぞれ付加された同じ符号を付与することとし、ここでは、その説明および図示を省略する。
【０００６】
このような構成の移動通信システムでは、ホームメモリ局８０は、下記の加入者番号、識別子および交換局識別番号ＭＳＣＩＤの組み合わせが登録されたデータベースを有する。
・  無線ゾーン９１-1〜９１-Nの何れかに位置する個々の移動局（既述の移動局９２を含む。）に付与されたユニークな加入者番号
・  これらの移動局について、所定のチャネル制御の手順に基づいて取得され、これらの無線ゾーン９１-1〜９１-Nの内、実際に位置する無線ゾーン（以下、「在圏ゾーン」という。）を示す識別子
・  関門交換局６０の出方路を介して接続され、かつ「在圏ゾーン」を形成する無線基地局と連係して呼設定を行うべき移動体交換局に付与されたユニークな交換局識別番号ＭＳＣＩＤ
なお、このようなデータベースが更新される要因となる位置登録の方式と、その位置登録の過程で各部が連係することによって行われるチャネル制御の手順とについては、本願発明の特徴ではなく、かつ多様な公知技術の適用の下で実現が可能であるので、ここでは、その説明を省略する。
【０００７】
また、移動体交換局７０では、主プロセッサ７２は、通信リンク７３を介して呼プロセッサ７６-1〜７６-Nとメッセージを送受することによって、これらの呼プロセッサ７６-1〜７６-Nと所定の呼設定およびチャネル制御の手順に基づいて連係する。
【０００８】
サブモジュール７４-1では、呼プロセッサ７６-1は、スイッチモジュール７５-1に形成されるべき通話路について、上述した呼設定およびチャネル制御の手順に基づいて設定と解除とを主導的に行う。さらに、呼プロセッサ７６-1は、その呼プロセッサ７６-1とディジタルトランク７７Ｇ-1、７７Ｈ-1、７７Ｂ-11〜７７Ｂ-1n との間に、メッセージの送受に供されるべき通信リンク（図示されない。）をスイッチモジュール７５-1上に固定の疑似的な通話路として形成する。
【０００９】
また、ディジタルトランク７７Ｇ-1、７７Ｈ-1、７７Ｂ-11〜７７Ｂ-1nは、それぞれ下記のメッセージの中継処理を行う。
・  局間リンク６１-1を介して関門交換機６０と相互に送受されるべきメッセージ
・  通信リンク８１-1を介してホームメモリ局８０と相互に送受されるべきメッセージ
・  ディジタルリンク７７-11〜７７-1nを介して無線基地局９０-1と相互に送受されるべきメッセージ
なお、サブモジュール７４-2〜７４-Nの各部の動作については、このようにしてサブモジュール７４-1の各部によって行われる動作と同じであるので、ここでは、その説明を省略する。
【００１０】
関門交換局６０は、図示されない入方路を介して自局に転送された呼を識別する（図１８(1))と、その呼の番号解析を行う（図１９(1))ことによって、着信先が無線ゾーン９１-1〜９１-Nの何れかに位置し得る移動局であるか否かを判別し、その判別の結果が真である場合には、この移動局（ここでは、簡単のため、「移動局９２」であると仮定する。）の加入者番号ＩＤを取得する（図１９(2))。
【００１１】
さらに、関門交換局６０は、この加入者番号ＩＤを含む「位置要求」を生成し、通信リンク６２を介してホームメモリ局８０宛にこの「位置要求」を送出する（図１８(2)、図１９(3))。
ホームメモリ局８０は、その「位置要求」に含まれる加入者番号ＩＤと共に上述した組み合わせをなす「在圏ゾーン」の識別子（以下、単に「位置情報」という。）と、交換局識別番号ＭＳＣＩＤとを既述のデータベースから取得する（図１８(3)、図２０(1))。
【００１２】
さらに、ホームメモリ局８０は、この交換局識別番号ＭＳＣＩＤで示される移動体交換局（ここでは、簡単のため、移動体交換局７０であると仮定する。）宛に、上述した加入者番号ＩＤおよび「位置情報」を含む「ルーティング要求」を送出する（図１８(4))。
なお、通信リンク８１-1〜８１-Nの内、この「ルーティング要求」の伝送に供される通信リンクについては、ホームメモリ局８０に搭載されたソフトウエアの内、下記のオペレーティングシステムとドライバ（ＢＩＯＳ）との双方の連係、あるいはこれらの何れか一方の主導の下で選定される。
【００１３】
・  「ルーティング要求」が送出されるべき契機を与えるアプリケーションシステムの上位のソフトウエアとして備えられ、かつ所定の通信制御を行うオペレーティングシステム
・  そのオペレーティングシステムの配下でこれら通信リンク８１-1〜８１-Nとの物理的なインタフェースをとるドライバ（ＢＩＯＳ）
したがって、上述した「ルーティング要求」は、例えば、ホームメモリ局８０によって通信リンク８１-4に送出された場合には、移動体交換局７０では、ディジタルトランク７７Ｈ-4およびスイッチモジュール７５-4を介して呼プロセッサ７６-4に伝達される。
【００１４】
呼プロセッサ７６-4は、この「ルーティング要求」を識別すると、その「ルーティング要求」に含まれる加入者番号ＩＤと「位置情報」とに基づいて下記の状態や情報を識別することによって、この加入者番号ＩＤで示される移動局９２に対して着信が可能か否かを判別する（図１８(5))。
【００１５】
・  加入者番号ＩＤで示される移動局９２に先行して何らかの呼が生起し、かつその呼が存続している状態
・  その移動局９２が自局の選択呼び出しに応答できない要因（例えば、加入者クラス、加入者情報）の有無
・  「位置情報」で示される無線ゾーン（ここでは、簡単のため、無線ゾーン９１-3であると仮定する。）における移動局９２の選択呼び出しを阻害する何らかの要因（例えば、輻輳状態、無線基地局の障害）の有無
なお、これらの状態や情報を把握するために、呼プロセッサ７６-4が単独で行い、あるいは主プロセッサ７２と連係して行うべき処理の手順については、本願発明に関係がなく、かつ多様な公知技術の適用の下で実現が可能であるので、ここでは、その説明を省略する。
【００１６】
さらに、呼プロセッサ７６-4は、この判別の結果が真である場合には、該当する着信呼にユニークな呼識別情報ＴＬＤＮを割り付け、その呼識別情報ＴＬＤＮに併せて、上述した加入者番号ＩＤおよび「位置情報」を含む「ルーティング要求応答」を生成すると共に、スイッチモジュール７５-4、ディジタルトランク７７Ｈ-4および通信リンク８１-4を介してホームメモリ局８０宛に、その「ルーティング要求応答」を送出する（図１８(6)、図２１(1))。
【００１７】
ホームメモリ局８０は、この「ルーティング要求応答」を識別すると、その「ルーティング要求応答」に含まれる呼識別情報ＴＬＤＮ、加入者番号ＩＤおよび「位置情報」を含む「位置要求応答」を生成し（図１８(7))、かつ通信リンク６２を介して関門交換局６０宛にこの「位置要求応答」を送出する（図１８(8)、図２０(2))。
【００１８】
関門交換局６０は、その「位置要求応答」を識別すると、この「位置要求応答」に含まれる呼識別情報ＴＬＤＮ、加入者番号ＩＤおよび「位置情報」を含む「アドレスメッセージ」を生成し（図１８(9))、かつ局間リンク６１-1〜６１-Nの何れかを介して移動体交換局７０宛に、その「アドレスメッセージ」を送出する（図１８(10)、図１９(4))。
【００１９】
移動体交換局７０では、例えば、この「アドレスメッセージ」が関門交換局６０によって局間リンク６１-1に送出された場合には、呼プロセッサ７６-1は、ディジタルトランク７７Ｇ-1およびスイッチモジュール７５-1を介して与えられるその「アドレスメッセージ」を取り込む（図１８(11)）。
また、呼プロセッサ７６-1は、この「アドレスメッセージ」に含まれる「位置情報」で示される無線ゾーンが配下で形成されている無線ゾーンであるか否かを判別する（図１８(12)、図２１(2))。
【００２０】
さらに、呼プロセッサ７６-1は、その結果が真である場合には、この「位置情報」と共に該当する「アドレスメッセージ」に含まれる呼識別情報ＴＬＤＮおよび加入者番号ＩＤを取得し、かつディジタルトランク７７Ｂ-11〜７７Ｂ-1nおよびディジタルリンク７１-11〜７７-1nを介して無線基地局９０-1〜９０-Nと連係することによって、その加入者番号ＩＤで示される移動局９２の選択呼び出しを行う（図２１(3))。
【００２１】
しかし、上述した判別の結果が偽である場合には、呼プロセッサ７６-1は、通信リンク７３および主プロセッサ７２を介して他の呼プロセッサ７６-2〜７６-Nに、『「アドレスメッセージ」に含まれる「位置情報」で示される無線ゾーンが配下に形成される無線ゾーンに該当するか否かの問い合わせ』を順次行う（図１８(13)、図２１(4))。
【００２２】
さらに、呼プロセッサ７６-1は、呼プロセッサ７６-2〜７６-Nの内、このような問い合わせに対して「肯定」を意味する回答が得られた呼プロセッサ（ここでは、簡単のため、呼プロセッサ７６-3であると仮定する。）を識別すると、その呼プロセッサ７６-3に、上述した呼識別情報ＴＬＤＮおよび加入者番号ＩＤを引き渡すことによって、該当する着信呼にかかわる呼処理とチャネル制御との主導権を移譲する（図１８(14)、図２１(5))。
【００２３】
なお、このような呼処理とチャネル制御とが呼プロセッサ７６-1〜７６-Nの何れの主導の下で行われる場合であっても、該当する着信呼が完了呼となるために各部で連係して行われるべき処理については、本願発明に関係がなく、かつ多様な公知技術の適用の下で実現が可能であるので、ここでは、その説明を省略する。
【００２４】
【発明が解決しようとする課題】
ところで、上述した従来例では、着信先となるべき移動局９２の在圏ゾーンが同じであっても、移動体交換局７０において上述した「位置要求」と「アドレスメッセージ」とを受信すべき呼プロセッサは、必ずしも同じ呼プロセッサとはならず、かつ該当する着信呼の呼設定およびチャネル制御を主導的に行うべき呼プロセッサと異なる可能性が高かった。
【００２５】
したがって、このような呼設定の過程では、呼プロセッサ７６-1〜７６-Nは、加入者情報を含む局データを共有し、あるいは主プロセッサ７２の主導の下で互いに所望のメッセージを送受することによって連係しなければならなかった。
しかし、これらの局データの共有やメッセージの送受には、所望のサービス品質や応答性が確保されるために要するプロセッサ間通信の速度が高いほど、多くのメモリブロック、処理量その他の資源が必要であった。
【００２６】
さらに、このような資源の所要量は、収容された移動局に並行して生起する呼が多いほど増加するために、ランニングコストが増加し、あるいは輻輳状態や過負荷状態が生じることが許容されるべきトラヒック量を決定する主な要因であった。
本発明は、ハードウエアの基本的な構成の変更とサービス品質の低下とが伴うことなく、呼処理およびチャネル制御の効率化が図られる移動体交換機、ホームメモリ・ノード装置および関門交換機を提供することを目的とする。
【００２７】
【課題を解決するための手段】
図１は、本発明にかかわる移動体交換機の原理ブロック図である。
請求項１に記載の発明は、関門交換局１０との間に形成された入方路に生起し、かつ複数の無線基地局１１-1〜１１-pの配下に個別に形成された無線ゾーンに位置し得る移動局１２-1〜１２-Kの何れかに着信すべき呼について、これらの無線基地局１１-1〜１１-pと連係することによって負荷分散方式の分散処理として呼処理を行う複数Ｐの分散呼処理手段１３-1〜１３-Pと、関門交換局１０と複数の無線基地局１１-1〜１１-pとの間に、複数Ｐの分散呼処理手段１３-1〜１３-Pによって行われる呼処理の手順に基づいて通話路を形成する通話路形成手段１４とを備え、複数Ｐの分散呼処理手段１３-1〜１３-Pは、移動局１２-1〜１２-Kの位置情報をデータベースとして有するホームメモリ局１５によって与えられ、かつ呼の着信先となるべき移動局にかかわる問い合わせに応じて、その移動局に対する着信の可否の判別と、これらの分散呼処理手段１３-1〜１３-Pの内、この移動局が在圏する無線ゾーンのチャネル制御に整合した呼設定を行うべき分散呼処理手段の識別とを行い、このホームメモリ局１５と関門交換局１０との何れか一方にこれらの識別された分散呼処理手段と判別の結果とを通知することを特徴とする。
【００２８】
請求項２に記載の発明は、関門交換局１０との間に形成された入方路に生起し、かつ複数の無線基地局１１-1〜１１-pの配下に個別に形成された無線ゾーンに位置し得る移動局１２-1〜１２-Kの何れかに着信すべき呼について、これらの無線基地局１１-1〜１１-pと連係することによって負荷分散方式の分散処理として呼処理を行う複数Ｐの分散呼処理手段１３-1〜１３-Pと、関門交換局１０と複数の無線基地局１１-1〜１１-pとの間に、複数Ｐの分散呼処理手段１３-1〜１３-Pによって行われる呼処理の手順に基づいて通話路を形成する通話路形成手段１４とを備え、複数Ｐの分散呼処理手段１３-1〜１３-Pは、移動局１２-1〜１２-Kの位置情報をデータベースとして有するホームメモリ局１５によって与えられ、かつ呼の着信先となるべき移動局にかかわる問い合わせに応じて、この移動局に対する着信の可否の判別を行い、その判別の結果をこのホームメモリ局１５に通知することを特徴とする。
【００２９】
請求項３に記載の発明は、請求項１に記載の移動体交換機において、複数Ｐの分散呼処理手段１３-1〜１３-Pは、ホームメモリ局１５によって与えられた問い合わせに応じて呼の着信先となるべき移動局の選択呼び出しを試行し、これらの分散呼処理手段１３-1〜１３-Pの内、その選択呼び出しに対する応答を得た分散呼処理手段をこの移動局が在圏する無線ゾーンのチャネル制御に整合した呼設定を行うべき分散呼処理手段と識別することを特徴とする。
【００３０】
請求項４に記載の発明は、請求項１に記載の移動体交換機において、複数Ｐの分散呼処理手段１３-1〜１３-Pは、ホームメモリ局１５によって与えられた問い合わせに応じて呼の着信先となるべき移動局の選択呼び出しを試行し、その選択呼び出しに対する応答を自立的に識別した場合に限って、そのホームメモリ局１５と関門交換局１０との何れか一方に自装置を特定された分散呼処理手段として通知することを特徴とする。
【００３１】
請求項５に記載の発明は、請求項１または請求項２に記載の移動体交換機において、ホームメモリ局１５によって与えられた問い合わせには、複数の無線基地局１１-1〜１１-pの配下に個別に形成された無線ゾーンの内、呼の着信先となるべき移動局が位置し得る無線ゾーンの識別子が含まれ、複数Ｐの分散呼処理手段１３-1〜１３-Pは、問い合わせに含まれる識別子で示される無線ゾーンのみについて呼の着信先となるべき移動局に対する着信の可否を判別することを特徴とする。
【００３２】
請求項６に記載の発明は、請求項１または請求項２に記載の移動体交換機において、ホームメモリ局１５によって与えられた問い合わせには、複数Ｐの分散呼処理手段１３-1〜１３-Pの内、呼の着信先となるべき移動局が位置し得る無線ゾーンのチャネル制御に整合した呼処理を行うべき分散呼処理手段の識別子が含まれ、複数Ｐの分散呼処理手段１３-1〜１３-Pの内、問い合わせに含まれる識別子で示される分散呼処理手段が呼の着信先となるべき移動局に対する着信が可能か否かを判別することを特徴とする。
【００３３】
図２は、本発明にかかわるホームメモリ・ノード装置の原理ブロック図である。
請求項７に記載の発明は、無線ゾーン２０-1〜２０-Pに位置し得る個々の移動局２１-1〜２１-Kについて、これらの無線ゾーン２０-1〜２０-Pの内、実際に位置する無線ゾーンを示す位置情報が格納されたホームメモリ２２と、移動局２１-1〜２１-Kの何れかに着信すべき着信呼の生起により関門交換局から位置要求が通知されたときに、移動体交換局２３-1〜２３-Lの内、その着信呼が生起した移動局についてホームメモリ２２に格納されている位置情報で示される無線ゾーンのチャネル制御に整合した呼処理を行うべき移動体交換局、即ち、着信処理移動体交換局に、これらの位置情報と前記位置要求により通知された呼の識別子とを通知する制御手段２４とを備えたホームメモリ・ノード装置であって、制御手段２４は、着信処理移動体交換局から前記通知に対する応答が与えられたときに、無線ゾーンと移動局との双方あるいは何れか一方について、それぞれ呼処理の負荷を分担する移動体交換局の複数のサブモジュール２５-1〜２５-mの内、前記着信呼が生起した移動局が位置する無線ゾーンのチャネル制御に整合した呼処理を行うべきサブモジュールを関門交換局に識別させるためのサブモジュール識別子を前記応答から取得し、その取得したサブモジュール識別子を含んだ情報を前記位置要求に対する応答として関門交換局に通知することを特徴とする。
【００３４】
請求項８に記載の発明は、請求項７に記載のホームメモリ・ノード装置において、制御手段２４は、着信処理移動体交換局に通知した位置情報を保持しておき、着信処理移動体交換局から該通知に対する応答が与えられたときに、保持している位置情報を、前記位置要求に対する応答として関門交換局２６に通知する情報に含ませることを特徴とする。
【００３５】
請求項９に記載の発明は、請求項７に記載のホームメモリ・ノード装置において、ホームメモリ２２には、移動体交換局に備えられ、かつ無線ゾーン２０-1〜２０-Pと移動局２１-1〜２１-Kとの双方あるいは何れか一方について、それぞれ呼処理の負荷を分担する複数のサブモジュール２５-1〜２５-mから、特定のサブモジュールを識別するためのサブモジュール識別子が位置情報と共に格納され、制御手段２４は、移動局２１-1〜２１-Kの何れかに着信すべき着信呼の生起により関門交換局から位置要求が通知されたときに、その着信呼が生起した移動局についてホームメモリ２２に格納されている位置情報とサブモジュール識別子とを取得し、着信処理移動体交換局に備えられたサブモジュール２５-1〜２５-mの内、取得したサブモジュール識別子で示されるサブモジュールに伝達するように、取得した位置情報と前記位置要求により通知された呼の識別子とを着信処理移動体交換局に通知することを特徴とする。
【００３６】
請求項１０に記載の発明は、請求項９に記載のホームメモリ・ノード装置において、制御手段２４は、着信処理移動体交換局に通知を行った際に、取得したサブモジュール識別子を保持しておき、着信処理移動体交換局から該通知に対する応答が与えられたときに、該通知に対する応答から取得するサブモジュール識別子の代わりに、保持しているサブモジュール識別子を、前記位置要求に対する応答として関門交換局２６に通知する情報に含ませることを特徴とする。
【００３７】
請求項１１に記載の発明は、請求項８または請求項１０に記載のホームメモリ・ノード装置において、ホームメモリ２２には、移動局２１-1〜２１-Kの位置情報に併せて、これらの移動局２１-1〜２１Ｋの属性が格納され、制御手段２４は、移動局２１-1〜２１-Kの内、呼が生起した移動局についてホームメモリ２２に格納された属性を、前記位置要求に対する応答として関門交換局２６に通知する情報に更に含ませることを特徴とする。
【００３８】
図３は、本発明にかかわる関門交換機の原理ブロック図である。
請求項１２に記載の発明は、入方路に生起し、かつ複数の無線基地局３１-1〜３１-pの配下に個別に形成された無線ゾーンに位置し得る移動局３２-1〜３２-Kの何れかに着信すべき呼に呼処理を施し、これらの無線ゾーンのチャネル制御に整合した呼処理を行う移動体交換局３３-1〜３３-Mに対するその呼の中継を行う呼処理手段３４と、入方路と移動体交換局３３-1〜３３-Mとの間に、呼処理手段３４によって行われた呼処理の手順に基づいて通話路を形成する通話路形成手段３５とを備え、呼処理手段３４は、移動局３２-1〜３２-Kの内、呼の着信先となるべき移動局が在圏する無線ゾーンを示す位置情報の要求をホームメモリ局３６に発し、かつ移動体交換局３３-1〜３３-Mの何れかに備えられたサブモジュール３７-1〜３７-mの内、その呼の呼処理の負荷を分担すべきサブモジュールの識別子を含む応答がこの位置情報の要求に対して与えられたときに、この呼の出方路をその識別子で示されるサブモジュールとの間に形成された出方路に設定することを特徴とする。
【００３９】
請求項１３に記載の発明は、請求項１２に記載の関門交換機において、位置情報の要求に対してホームメモリ局３６によって与えられた応答には、呼の着信先となるべき移動局の属性が含まれ、呼処理手段３４は、応答に含まれる属性が所定の条件を満たすか否かを判別し、その判別の結果が真である場合に限って、呼の方路選定を行うことを特徴とする。
【００４０】
請求項１に記載の発明にかかわる移動体交換機では、分散呼処理手段１３-1〜１３-Pは、関門交換局１０との間に形成された入方路に生起し、かつ複数の無線基地局１１-1〜１１-pの配下に個別に形成された無線ゾーンに位置し得る移動局１２-1〜１２-Kの何れかに着信すべき呼について、これらの無線基地局１１-1〜１１-pと連係することによって負荷分散方式の分散処理として呼処理を行う。
【００４１】
通話路形成手段１４は、上述した関門交換局１０と複数の無線基地局１１-1〜１１-pとの間に、分散呼処理手段１３-1〜１３-Pによって行われる呼処理の手順に基づいて通話路を形成する。
また、分散呼処理手段１３-1〜１３-Pは、移動局１２-1〜１２-Kの位置情報をデータベースとして有するホームメモリ局１５によって、上述した呼の着信先となるべき移動局にかかわる問い合わせが与えられると、その移動局に対する着信の可否の判別と、これらの分散呼処理手段１３-1〜１３-Pの内、この移動局が在圏する無線ゾーンのチャネル制御に整合した呼設定を行うべき分散呼処理手段の識別とを行う。さらに、分散呼処理手段１３-1〜１３-Pは、ホームメモリ局１５と関門交換局１０との何れか一方に、これらの識別された分散呼処理手段と判別の結果とを通知する。
【００４２】
すなわち、移動局１２-1〜１２-Kの何れに着信すべき呼についても、分散呼処理手段１３-1〜１３-Pの内、その呼の呼設定を行うべき分散呼処理手段と着信の可否とが識別され、かつホームメモリ局１５や関門交換局１０に通知される。
したがって、このような呼が完了呼となるために呼設定を行うべき分散呼処理手段は、これらのホームメモリ局１５と関門交換局１０とが連係することによって行われるあるいはこの関門交換局１０が単独で行う中継交換の過程で確度高く決定され、その呼設定にかかわる処理の簡略化と効率化とが図られる。
【００４３】
請求項２に記載の発明にかかわる移動体交換機では、分散呼処理手段１３-1〜１３-Pは、関門交換局１０との間に形成された入方路に生起し、かつ複数の無線基地局１１-1〜１１-pの配下に個別に形成された無線ゾーンに位置し得る移動局１２-1〜１２-Kの何れかに着信すべき呼について、これらの無線基地局１１-1〜１１-pと連係することによって負荷分散方式の分散処理として呼処理を行う。
【００４４】
通話路形成手段１４は、上述した関門交換局１０と複数の無線基地局１１-1〜１１-pとの間に、分散呼処理手段１３-1〜１３-Pによって行われる呼処理の手順に基づいて通話路を形成する。
また、分散呼処理手段１３-1〜１３-Pは、移動局１２-1〜１２-Kの位置情報をデータベースとして有するホームメモリ局１５によって、上述した呼の着信先となるべき移動局にかかわる問い合わせが与えられると、この移動局に対する着信の可否の判別を行い、その判別の結果をこのホームメモリ局１５に通知する。
【００４５】
すなわち、請求項１に記載の移動体交換機との対比においては、上述した着信の可否の判別の結果はホームメモリ局１５に通知されるが、該当する呼の呼設定を行うべき分散呼処理手段の識別と、その分散呼処理手段をこのホームメモリ局１５に通知する処理とは行われない。
【００４６】
したがって、このような分散呼処理手段がホームメモリ局１５の主導の下で判別され、かつ関門交換局１０が行う中継交換の下で与えられる限り、請求項１に記載の移動体交換機に比べて呼処理の手順の簡略とその呼処理に要する処理量の削減とが図られ、かつ分散呼処理手段１３-1〜１３-Pによって実現される多様な負荷分散の形態に対する柔軟な適応が可能となる。
【００４７】
請求項３に記載の発明にかかわる移動体交換機では、請求項１に記載の移動体交換機において、分散呼処理手段１３-1〜１３-Pは、ホームメモリ局１５によって与えられた問い合わせに応じて、呼の着信先となるべき移動局の選択呼び出しを試行する。さらに、分散呼処理手段１３-1〜１３-Pは、これらの分散呼処理手段１３-1〜１３-Pの内、上述した選択呼び出しに対する応答を得た分散呼処理手段を「この移動局が在圏する無線ゾーンのチャネル制御に整合した呼設定を行うべき分散呼処理手段」と識別する。
【００４８】
すなわち、上述した呼の呼処理を行うべき分散呼処理手段は、着信先となるべき移動局が実際に選択呼び出しに対して応答できる状態で待機する限り、その移動局が位置する無線ゾーンについて、チャネル制御に整合した呼設定を行うことができる分散呼処理手段に設定される。
したがって、着信先となるべき移動局の状態やその移動局が位置する無線ゾーンが確認されない場合に比べて、移動局１２-1〜１２-Kに生起した着信呼の完了呼率が高められる。
【００４９】
請求項４に記載の発明にかかわる移動体交換機では、請求項１に記載の移動体交換機において、分散呼処理手段１３-1〜１３-Pは、ホームメモリ局１５によって与えられた問い合わせに応じて、呼の着信先となるべき移動局の選択呼び出しを試行する。
さらに、分散呼処理手段１３-1〜１３-Pは、この選択呼び出しに対する応答を自立的に識別した場合に限って、そのホームメモリ局１５と関門交換局１０との何れか一方に、自装置を特定された分散呼処理手段として通知する。
【００５０】
すなわち、上述した問い合わせに応じて分散呼処理手段１３-1〜１３-Pの全てあるいは一部によって行われた選択呼び出しの結果を取りまとめる処理は、これらの分散呼処理手段１３-1〜１３-Pの何れによっても行われない。
したがって、分散呼処理手段１３-1〜１３-Pの何れかがこのような取りまとめを行わなければならない場合に比べて、これらの分散呼処理手段１３-1〜１３-Pによって行われるべき処理の簡略化が図られる。
【００５１】
請求項５に記載の発明にかかわる移動体交換機では、請求項１または請求項２に記載の移動体交換機において、ホームメモリ局１５によって与えられた問い合わせには、複数の無線基地局１１-1〜１１-pの配下に個別に形成された無線ゾーンの内、呼の着信先となるべき移動局が位置し得る無線ゾーンの識別子が含まれる。分散呼処理手段１３-1〜１３-Pは、その問い合わせに含まれる識別子で示される無線ゾーンのみについて、上述した呼の着信先となるべき移動局に対する着信の可否を判別する。
【００５２】
すなわち、このような着信の可否が判別されるべき無線ゾーンは、着信先の移動局の位置情報をデータベースとして有するホームメモリ局１５の主導の下で決定される。
したがって、同様の判別がホームメモリ局１５以外の主導の下で行われる場合に比べて、完了呼率が大幅に低下することなく、分散呼処理手段１３-1〜１３-Pによって行われるべき呼設定の負荷が軽減される。
【００５３】
請求項６に記載の発明にかかわる移動体交換機では、請求項１または請求項２に記載の移動体交換機において、ホームメモリ局１５によって与えられた問い合わせには、分散呼処理手段１３-1〜１３-Pの内、呼の着信先となるべき移動局が位置し得る無線ゾーンのチャネル制御に整合した呼処理を行うべき分散呼処理手段の識別子が含まれる。分散呼処理手段１３-1〜１３-Pの内、問い合わせに含まれる識別子で示される分散呼処理手段は、該当する呼の着信先となるべき移動局に対する着信が可能か否かを判別する。
【００５４】
すなわち、このような着信の可否は、着信先となるべき移動局が位置し得る無線ゾーンのチャネル制御に整合した呼処理を行うべき分散呼処理手段によって、呼処理の手順に基づいて判別される。
したがって、個々の無線ゾーンのチャネル制御に整合した呼処理が複数の分散呼処理手段によって分散処理として行われる場合であっても、請求項５に記載の移動体交換機と同様に、完了呼率が大幅に低下することなく呼設定の負荷が軽減される。
【００５６】
請求項７に記載の発明にかかわるホームメモリ・ノード装置では、位置情報と呼の識別子とは、その呼の着信先の移動局が位置する無線ゾーンのチャネル制御に整合した呼処理を行うべき移動体交換局に通知される。
したがって、このような移動体交換局以外の他の移動体交換局にも同様の位置情報と呼の識別子とが並行して通知される場合に比べて、これらの他の移動体交換局で無用に呼処理が行われることが回避される。
【００５８】
請求項８に記載の発明にかかわるホームメモリ・ノード装置では、位置情報と応答との内、両者は関門交換局２６によって行われるべき中継交換に供され、かつ前者は移動体交換局２３-1〜２３-Lの何れによって返送されなくても制御手段２４によって確実に関門交換局２６に通知される。
【００５９】
したがって、サブモジュール２５-1〜２５-mに分散が図られた移動体交換局２３-1〜２３-Lの負荷の増加が抑制されつつ、これらの移動体交換局２３-1〜２３-Lの多様な負荷分散の形態に対する柔軟な適応が可能となる。
【００６１】
請求項９に記載の発明にかかわるホームメモリ・ノード装置では、位置情報と呼の識別子とは、その呼の着信先の移動局が位置する無線ゾーンのチャネル制御に整合した呼処理を行うべき移動体交換局に備えられたサブモジュールの内、その呼処理の負荷を分担する特定のサブモジュールに通知される。
したがって、このような移動体交換局に備えられたサブモジュールの内、上述した特定のサブモジュール以外の他のサブモジュールにも同様の位置情報と呼の識別子とが並行して通知される場合に比べて、これらの他のサブモジュールで呼処理が無用に並行して行われことが回避される。
【００６４】
請求項１０に記載の発明にかかわるホームメモリ・ノード装置では、サブモジュール識別子と応答とについては、両者は関門交換局２６によって行われるべき中継交換に供され、かつ前者は移動体交換局２３-1〜２３-Lの何れによって返送されない場合であっても、制御手段２４によって確実にこの関門交換局２６に通知される。
したがって、移動体交換局２３-1〜２３-Lの負荷の増加が抑制されつつ、これらの移動体交換局２３-1〜２３-Lの多様な負荷分散の形態に対する柔軟な適応が可能となる。
【００６６】
請求項１１に記載の発明にかかわるホームメモリ・ノード装置では、関門交換局２６への応答に属性の情報が含められる。属性は着信呼が生起した移動局に提供されるべきサービスの形態を示すので、関門交換局２６は、移動体交換局２３-1〜２３-Lに適用された負荷分散の形態だけではなく、そのサービスの多様な形態に柔軟に適応しつつこの着信呼の中継交換を行うことができる。
請求項１２に記載の発明にかかわる関門交換機では、呼処理手段３４は、入方路に生起し、かつ複数の無線基地局３１-1〜３１-pの配下に個別に形成された無線ゾーンに位置し得る移動局３２-1〜３２-Kの何れかに着信すべき呼に呼処理を施す。さらに、呼処理手段３４は、これらの無線ゾーンのチャネル制御に整合した呼処理を行う移動体交換局３３-1〜３３-Mにその呼を中継する。通話路形成手段３５は、上述した入方路と移動体交換局３３-1〜３３-Mとの間に、呼処理手段３４によって行われた呼処理の手順に基づいて通話路を形成する。
【００６７】
また、呼処理手段３４は、移動局３２-1〜３２-Kの内、上述した呼の着信先となるべき移動局が在圏する無線ゾーンを示す位置情報の要求をホームメモリ局３６に発する。さらに、呼処理手段３４は、移動体交換局３３-1〜３３-Mの何れかに備えられたサブモジュール３７-1〜３７-mの内、その呼の呼処理の負荷を分担すべきサブモジュールの識別子を含む応答がこの位置情報の要求に対して与えられると、この呼の出方路をその識別子で示されるサブモジュールとの間に形成された出方路に設定する。
【００６８】
すなわち、上述した呼の着信先にかかわる呼設定を行うべき移動体交換機にその呼を中継するために供される出方路がホームメモリ３６の主導の下で設定されるので、位置登録の過程で取得された位置情報が有効に活用され、かつ呼処理に供される資源の削減とサービス品質の向上とが図られる。
請求項１３に記載の発明にかかわる関門交換機では、請求項１２に記載の関門交換機において、位置情報の要求に対してホームメモリ局３６によって与えられた応答には、呼の着信先となるべき移動局の属性が含まれる。また、呼処理手段３４は、その応答に含まれる属性が所定の条件を満たすか否かを判別し、その判別の結果が真である場合に限って、呼の方路選定を行う。
【００６９】
このような属性は着信呼が生起した移動局に提供されるべきサービスの形態を示すので、移動体交換局３３-1〜３３-Mに適用された負荷分散の形態だけではなく、そのサービスの多様な形態に柔軟に適応しつつ上述した呼の中継交換が行われる。
【００７０】
【発明の実施の形態】
以下、図面に基づいて本発明の実施形態について詳細に説明する。
【００７１】
図４は、本発明の実施形態を示す図である。
図において、図１７に示すものと機能および構成が同じものについては、同じ符号を付与して示し、ここでは、その説明を省略する。
本実施形態と図１７に示す従来例との構成の相違点は、関門交換局６０に代えて関門交換局６０Ａが備えられ、移動体交換局７０に代えて移動体交換局７０Ａが備えられ、ホームメモリ局８０に代えてホームメモリ局８０Ａが備えられた点にある。
【００７２】
また、移動体交換局７０Ａと移動体交換局７０との構成の相違点は、呼プロセッサ７６-1〜７６-Nに代えてそれぞれ呼プロセッサ４１-1〜４１-Nが備えられたサブモジュール７４Ａ-1〜７４Ａ-Nがサブモジュール７４-1〜７４-Nに代えて備えられた点にある。
【００７３】
なお、以下の各実施形態では、簡単のため、従来例と同様に無線ゾーン９１-3に在圏する移動局９２に着信すべき着信呼が生起したことを前提とし、その着信呼にかかわる呼処理およびチャネル制御の過程で各部が連係して行う処理の手順について記述することとする。
図５は、本発明の第一の実施形態の動作を説明する図である。
【００７４】
図において、従来例において行われる処理と同じ処理については、図１８に示す番号と同じ番号を付記して示し、以下では、その説明を省略する。
図６は、本発明の第一の実施形態における関門交換局の動作フローチャートである。
図において、従来例と同様の処理については、図１９と同じ番号を付与し、以下では、その説明を省略する。
【００７５】
図７は、本発明の第一の実施形態における移動体交換局の動作フローチャートである。
図において、従来例と同様の処理については、図２１と同じ番号を付与し、以下では、その説明を省略する。
以下、図４〜図７を参照して本発明の第一の実施形態の動作を説明する。
【００７６】
なお、本実施形態は、請求項１、１２に記載の発明に対応する。
また、本実施形態と従来例との相違点は、関門交換局６０Ａ、ホームメモリ局８０Ａおよび呼プロセッサ４１-1〜４１-Nがそれぞれ行う下記の処理の手順にある。
関門交換局６０Ａは、上述した着信呼が生起すると、その着信呼の着信先となるべき移動局９２の加入者番号ＩＤを含む「位置要求」を生成し、通信リンク６２を介してホームメモリ局８０Ａ宛にこの「位置要求」を送出する（図５(2)、図６(3))。
【００７７】
ホームメモリ局８０Ａは、その「位置要求」に含まれる加入者番号ＩＤと共に組み合わせをなす「在圏ゾーン」の識別子（以下、単に「位置情報」という。）と、交換局識別番号ＭＳＣＩＤとを既述のデータベースから取得する（図５(3))。
さらに、ホームメモリ局８０Ａは、その交換局識別番号ＭＳＣＩＤで示される移動体交換局（ここでは、簡単のため、移動体交換局７０であると仮定する。）宛に、これらの加入者番号ＩＤおよび「位置情報」を含む「ルーティング要求」を送出する（図５(4))。
【００７８】
なお、通信リンク８１-1〜８１-Nの内、この「ルーティング要求」の伝送に供される通信リンクについては、従来例と同様にホームメモリ局８０Ａに搭載されたオペレーティングシステムとドライバとの双方あるいは何れか一方によって選定される。
したがって、「ルーティング要求」は、例えば、ホームメモリ局８０Ａによって通信リンク８１-4に送出された場合には、移動体交換局７０では、ディジタルトランク７７Ｈ-4およびスイッチモジュール７５-4を介して呼プロセッサ４１-4に与えられる。
【００７９】
呼プロセッサ４１-4は、この「ルーティング要求」を識別すると、その「ルーティング要求」に含まれる加入者番号ＩＤと「位置情報」とに基づいて下記の状態や情報を識別することによって、この加入者番号ＩＤで示される移動局９２に対して着信が可能か否かを判別する（図５(5))。
・  加入者番号ＩＤで示される移動局９２に先行して何らかの呼が生起し、かつその呼が存続している状態
・  その移動局９２が自局の選択呼び出しに応答できない要因（例えば、加入者クラス、加入者情報）の有無
・  「位置情報」で示される無線ゾーン（ここでは、簡単のため、無線ゾーン９１-3であると仮定する。）における移動局９２の選択呼び出しを阻害する何らかの要因（例えば、輻輳状態、無線基地局の障害）の有無
なお、これらの状態や情報を把握するために、呼プロセッサ４１-4が単独で行い、あるいは主プロセッサ７２と連係して行うべき処理の手順については、本願発明に関係がなく、かつ多様な公知技術の適用の下で実現が可能であるので、ここでは、その説明を省略する。
【００８０】
また、呼プロセッサ４１-4は、上述した判別の結果が真である場合には、下記の要件の全てあるいは一部を吟味することによって、呼プロセッサ４１-1〜４１-Nの内、該当する着信呼の着信先である移動局９２が在圏し、あるいは在圏する可能性が高い無線ゾーンを形成する無線基地局と連係すべき呼プロセッサ（以下、「着信処理プロセッサ」という。）を特定する（図５(a)、図７(a))。
【００８１】
・  呼プロセッサ４１-1〜４１-Nの負荷の分布
・  移動局９２の加入者情報
・  無線ゾーン９１-1〜９１-Nの地理的分布（ゾーン構成）
・  無線ゾーン９１-1〜９１-Nのトラヒックの分布
・  無線基地局９０-1〜９０-Nの稼働状況
・  移動局９２に先行して生起した呼の履歴
なお、「着信先プロセッサ」は、呼プロセッサ４１-4となってもよい。
【００８２】
さらに、呼プロセッサ４１-4は、該当する着信呼にユニークな呼識別情報ＴＬＤＮを割り付け、その呼識別情報ＴＬＤＮと上述した加入者番号ＩＤと「位置情報」とに併せて、特定された「着信処理プロセッサ」の識別子（以下、単に「プロセッサ識別子」という。）を含む「ルーティング要求応答」を生成すると共に、スイッチモジュール７５-4、ディジタルトランク７７Ｈ-4および通信リンク８１-4を介してホームメモリ局８０Ａ宛に、その「ルーティング要求応答」を送出する（図５(b) 、図７(a))。
【００８３】
なお、以下では、簡単のため、「プロセッサ識別子」は、移動局９２が在圏する無線ゾーン９１-3にかかわる処理を専ら行うべき呼プロセッサ４１-3を示す「３」であると仮定する。
【００８４】
ホームメモリ局８０Ａは、この「ルーティング要求応答」を識別すると、その「ルーティング要求応答」に含まれる呼識別情報ＴＬＤＮ、加入者番号ＩＤ、「位置情報」およびプロセッサ識別子を含む「位置要求応答」を生成し、かつ通信リンク６２を介して関門交換局６０Ａ宛にこの「位置要求応答」を送出する（図５(c))。
【００８５】
関門交換局６０Ａは、その「位置要求応答」を識別すると、この「位置要求応答」に含まれる呼識別情報ＴＬＤＮ、加入者番号ＩＤおよび「位置情報」を含む「アドレスメッセージ」を生成する（図５(d))。
さらに、関門交換機６０Ａは、局間リンク６１-1〜６１-Nの内、上述した「位置要求応答」に含まれる「プロセッサ番号」に対応する局間リンク６１-3を介して移動体交換局７０Ａ宛に、その「アドレスメッセージ」を送出する（図５(e)、図６(a))。
【００８６】
移動体交換局７０Ａでは、呼プロセッサ４１-3は、ディジタルトランク７７Ｇ-3およびスイッチモジュール７５-3を介して与えられるこの「アドレスメッセージ」を取り込む（図５(f))。
呼プロセッサ４１-3は、この「アドレスメッセージ」に含まれる呼識別情報ＴＬＤＮ、加入者番号ＩＤおよび「位置情報」を取得し、かつディジタルトランク７７Ｂ-31〜７７Ｂ-3nおよびディジタルリンク７１-31〜７７-3nを介して無線基地局９０-3と連係することによって、その加入者番号ＩＤで示される移動局９２の選択呼び出しを行う（図５(g)、図７(c))。
【００８７】
さらに、呼プロセッサ４１-3は、この選択呼び出しに応じて移動局７２から送出された「着信応答」を識別した場合には、該当する着信呼の呼処理およびチャネル処理を続行する（図７(d))。
しかし、このような「着信応答」がチャネル制御の手順に適合した所定の期間内に識別できなかった場合には、呼プロセッサ４１-3は、通信リンク７３および主プロセッサ７２を介して他の呼プロセッサ４１-1、４１-2、４１-4〜４１-Nに、『「アドレスメッセージ」に含まれる「位置情報」で示される無線ゾーンが配下に形成された無線ゾーンに該当するか否かの問い合わせ』を順次行う（図７(e))。
【００８８】
さらに、呼プロセッサ４１-3は、呼プロセッサ４１-1、４１-2、４１-4〜４１-Nの内、このような問い合わせに対して「肯定」を意味する回答が得られた呼プロセッサを識別すると、その呼プロセッサに、上述した呼識別情報ＴＬＤＮおよび加入者番号ＩＤを引き渡すことによって、該当する着信呼にかかわる呼処理とチャネル制御との主導権を移譲する（図７(f))。
【００８９】
すなわち、移動体交換局７０Ａに備えられた呼プロセッサ４１-1〜４１-Nの内、ホームメモリ局８０Ａによって「ルーティング要求」が与えられた呼プロセッサによって、「着信先の移動局７２が在圏する可能性が高い無線ゾーンにかかわる呼設定およびチャネル制御を行う呼プロセッサ」が特定され、かつ関門交換機６０Ａはその呼プロセッサ宛にアドレスメッセージを直接与えることができる。
【００９０】
したがって、本実施形態によれば、アドレスメッセージが与えられた呼プロセッサによって該当する着信呼の呼処理が行われ得る確率が従来例に比べて大幅に大きくなり、この確率が低いことに起因する資源の利用効率とサービス品質との低下が軽減され、かつランニングコストの削減が図られる。
なお、本実施形態では、呼識別情報ＴＬＤＮに併せて、加入者番号ＩＤ、「位置情報」および「プロセッサ番号」を含む「ルーティング要求応答」は、呼プロセッサ４１-4によってホームメモリ局８０Ａ宛に送出されている。しかし、これらの加入者番号ＩＤ、「位置情報」および「プロセッサ番号」は、例えば、図８に示すように、呼識別情報ＴＬＤＮと一体化されてもよい。
【００９１】
図９は、本発明の第二および第三の実施形態の動作を説明する図である。
図において、既述の第一の実施形態と同様に行われる処理については、図５に示す番号と同じ番号を付与して示し、以下では、その説明を省略する。
図１０は、本発明の第二および第三の実施形態におけるホームメモリ局の作フローチャートである。
【００９２】
図１１は、本発明の第二および第三の実施形態における移動体交換局の動作フローチャートである。
図１０および図１１において、既述の第一の実施形態と同様に行われる処理については、それぞれ図２０および図７と同じ番号および記号を付与することとし、以下では、その説明を省略する。
【００９３】
以下、図４、図６、図９〜図１１を参照して本発明の第二の実施形態の動作を説明する。
なお、本実施形態は、請求項２、５〜９に記載の発明に対応する。
本実施形態の特徴は、ホームメモリ局８０Ａ、関門交換機６０Ａおよび呼プロセッサ４１-1〜４１-Nが連係して行う下記の処理の手順にある。
【００９４】
ホームメモリ局８０Ａには、図１２に示すように、無線ゾーン９１-1〜９１-Nの何れかに位置する個々の移動局について、加入者番号と、これらの無線ゾーン９１-1〜９１-Nの内、在圏する無線ゾーンを示すゾーン識別子との組み合わせが登録され、かつ位置登録の手順に基づいて移動体交換局７０Ａと連係することによって適宜更新される在圏ゾーンレジスタ５１をデータベースとして有する。
【００９５】
なお、このような在圏ゾーンレジスタ５１が更新される過程で各部によって行われる処理については、本願発明の特徴ではなく、かつ公知の多様な技術の適用の下で実現が可能であるので、ここでは、その説明を省略する。
関門交換局６０Ａは、無線ゾーン９１-3に在圏する移動局９２に着信すべき着信呼が生起する（図９(1))と、その移動局９２の加入者番号ＩＤを含む「位置要求」を生成し、通信リンク６２を介してホームメモリ局８０Ａ宛にこの「位置要求」を送出する（図９(2)、図６(3))。
【００９６】
ホームメモリ局８０Ａは、その「位置要求」に含まれる加入者番号ＩＤと共に既述の組み合わせをなすゾーン識別子と、交換局識別番号ＭＳＣＩＤとを既述のデータベースから取得する（図９(a)、図１０(a))。
さらに、ホームメモリ局８０Ａは、その交換局識別番号ＭＳＣＩＤで示される移動体交換局（ここでは、簡単のため、移動体交換局７０であると仮定する。）との間に形成された通信リンク８１-1〜８１-Nの内、上述したゾーン識別子で示される無線ゾーンにかかわるチャネル制御を行うべき呼プロセッサ４１-3に対応した通信ンク８１-3に、これらの加入者番号ＩＤおよびゾーン識別子を含む「ルーティング要求」を送出する（図９(b)、図１０(b))。
【００９７】
したがって、この「ルーティング要求」は、通信リンク８１-3、ディジタルトランク７７Ｈ-3およびスイッチモジュール７５-3を介して呼プロセッサ４１-3に伝達される。
呼プロセッサ４１-3は、この「ルーティング要求」を識別すると、その「ルーティング要求」に含まれる加入者番号ＩＤと「位置情報」とに基づいて下記の状態や情報を把握することによって、この加入者番号ＩＤで示される移動局９２に対して着信が可能か否かを判別する（図９(c))。
【００９８】
・  加入者番号ＩＤで示される移動局９２に先行して何らかの呼が生起し、かつその呼が存続している状態
・  その移動局９２が自局の選択呼び出しに応答できない要因（例えば、加入者クラス、加入者情報）の有無
・  位置情報で示される無線ゾーン（ここでは、簡単のため、無線ゾーン９１-3であると仮定する。）における移動局９２の選択呼び出しを阻害する何らかの要因（例えば、輻輳状態、無線基地局の障害）の有無
なお、これらの状態や情報を把握するために、呼プロセッサ４１-3が単独で行い、あるいは主プロセッサ７２と連係して行うべき処理の手順については、本願発明に関係がなく、かつ多様な公知技術の適用の下で実現が可能であるので、ここでは、その説明を省略する。
【００９９】
また、呼プロセッサ４１-3は、上述した判別の結果が真である場合には、下記の要件の全てあるいは一部を吟味し、かつ該当する着信先である移動局９２の選択呼び出しが許容される状態を確認すると共に、この呼プロセッサ４１-3を既述の「着信処理プロセッサ」という。）として特定する（図９(d)、図１１(a))。
・  呼プロセッサ４１-1〜４１-Nの負荷の分布
・  移動局９２の加入者情報
・  無線ゾーン９１-1〜９１-Nの地理的分布（ゾーン構成）
・  無線ゾーン９１-1〜９１-Nのトラヒックの分布
・  無線基地局９０-1〜９０-Nの稼働状況
・  移動局９２に先行して生起した完了呼の履歴
さらに、呼プロセッサ４１-3は、該当する着信呼にユニークな呼識別情報ＴＬＤＮを割り付け、その呼識別情報ＴＬＤＮと上述した加入者番号ＩＤと「位置情報」とに併せて、「着信処理プロセッサ」の識別子（以下、単に「プロセッサ識別子」という。）を含む「ルーティング要求応答」を生成すると共に、スイッチモジュール７５-3、ディジタルトランク７７Ｈ-3および通信リンク８１-3を介してホームメモリ局８０Ａ宛に、その「ルーティング要求応答」を送出する（図９(e)、図１１(b))。
【０１００】
ホームメモリ局８０Ａは、この「ルーティング要求応答」を識別すると、その「ルーティング要求応答」に含まれる呼識別情報ＴＬＤＮ、加入者番号ＩＤ、「位置情報」およびプロセッサ識別子を含む「位置要求応答」を生成し（図９(f))、かつ通信リンク６２を介して関門交換局６０Ａ宛にこの「位置要求応答」を送出する（図９(g)、図１０(c))。
【０１０１】
関門交換局６０Ａは、その「位置要求応答」を識別すると、この「位置要求応答」に含まれる呼識別情報ＴＬＤＮ、加入者番号ＩＤおよび「位置情報」を含む「アドレスメッセージ」を生成する（図９(h))。
【０１０２】
さらに、関門交換機６０Ａは、局間リンク６１-1〜６１-Nの内、上述した「位置要求応答」に含まれるプロセッサ識別子に対応する局間リンク６１-3を介して移動体交換局７０Ａ宛に、その「アドレスメッセージ」を送出する（図９(i)、図６(a))。
移動体交換局７０Ａでは、呼プロセッサ４１-3は、ディジタルトランク７７Ｇ-3およびスイッチモジュール７５-3を介してその「アドレスメッセージ」を取り込み、かつ既述の第一の実施形態と同様の手順に基づく処理（図１１(c)、(d))を行う。
【０１０３】
すなわち、生起した着信呼の着信先となるべき移動局９２の選択呼び出しが行われるべき無線ゾーンと、その無線ゾーンにかかわるチャネル制御および呼設定を行うべき呼プロセッサ４１-3とがホームメモリ局８０Ａの主導の下で与えられる。
したがって、本実施形態によれば、従来例および既述の第一の実施形態に比べて、ホームメモリ局８０Ａに蓄積された位置情報が有効にされ、かつ「アドレスメッセージ」は着信先の移動局が在圏する無線ゾーンにかかわる呼設定やチャネル制御を行うべき呼プロセッサに直接与えられる。
【０１０４】
なお、本実施形態では、「ルーティング要求」と「アドレスメッセージ」とは、それぞれ通信リンク８１-3および局間リンク６１-3を介して呼プロセッサ４１-3に与えられ、その呼プロセッサ４１-3によって個別に処理されている。
しかし、本発明は、このような構成に限定されず、ホームメモリ局８０Ａによって特定されたプロセッサ識別子が通信リンク６２を介して関門交換局６０Ａに伝達され、かつ局間リンク６１-3を介して呼プロセッサ４１-3宛に、「ルーティング要求」と「アドレスメッセージ」とが併合されてなるメッセージがこの関門交換局６０Ａによって一括して与えられることによって、呼設定の簡略化と効率化とが図られてもよい。
【０１０５】
以下、図４、図９〜図１１を参照して本発明の第三の実施形態の動作を説明する。
なお、本実施形態は、請求項８、１０に記載の発明に対応する。
本実施形態と既述の第二の実施形態との相違点は、ホームメモリ局８０Ａと呼プロセッサ４１-4とが連係して行う下記の処理の手順にある。
【０１０６】
ホームメモリ局８０Ａは、呼プロセッサ４１-3によって送出され、かつスイッチモジュール７５-3、ディジタルトランク７７Ｈ-3および通信リンク８１-3を介して与えられた「ルーティング要求応答」を識別すると、その「ルーティング要求応答」に含まれる呼識別情報ＴＬＤＮ、加入者番号ＩＤおよびプロセッサ識別子に併せて、その加入者番号ＩＤに対応して在圏ゾーンレジスタ５１に記録されているゾーン識別子を含む「位置要求応答」を生成し（図９(A))、かつ通信リンク６２を介して関門交換局６０Ａ宛にこの「位置要求応答」を送出する（図９(B)、図１０(A))。
【０１０７】
関門交換局６０Ａは、その「位置要求応答」を識別すると、既述の第二の実施形態と同様の手順に基づいて、この「位置要求応答」に含まれる呼識別情報ＴＬＤＮ、加入者番号ＩＤおよび「位置情報」を含む「アドレスメッセージ」を生成し（図９(h))、その局間リンク６１-3を介して移動体交換局７０Ａ宛に、その「アドレスメッセージ」を送出する（図９(i))。
【０１０８】
なお、このような「アドレスメッセージ」に応じて移動体交換局７０Ａ（呼プロセッサ４１-3）が行う処理については、第二の実施形態と同じであるので、ここでは、その説明を省略する。
すなわち、着信先である移動局９２が在圏する無線ゾーン９１-3を示すゾーン識別子は、ホームメモリ局８０Ａが在圏ゾーンレジスタ５１を参照することによって得られると共に、「位置要求応答」に付加され、かつ「ルーティング要求」に付加されて呼プロセッサ４１-3宛に送出されても、その呼プロセッサ４１-3によって送出される「ルーティング要求応答」には含まれない。
【０１０９】
このように本実施形態によれば、在圏ゾーンレジスタ５１に登録されたゾーン識別子が有効に参照されることによって、既述の第二の実施形態に比べて、プロセッサ４１-1〜４１-Nからホームメモリ局８０Ａに引き渡されるべき情報の情報量が削減されるので、通信リンク８１-1〜８１-Nの伝送効率が高められる。
なお、本実施形態では、在圏ゾーンレジスタ５１に登録されたゾーン識別子は、個々の呼の呼設定の過程で二度に亘って参照されている。
【０１１０】
しかし、本発明は、このような構成に限定されず、例えば、在圏ゾーンレジスタ５１に登録された何れかのゾーン識別子について、「ルーティング要求」に付加されるために参照された時点から「位置要求応答」に付加されるために再び参照される時点に至る期間に、更新が行われる可能性があり、その更新が保留されるべき期間の長さが許容されない程度に長い場合には、
・  図１３に示すように、呼毎あるいは移動局毎に先行して参照されたゾーン識別子が登録されるべきゾーンレジスタ５２が備えられ、
・  そのゾーンレジスタ５２に登録されたゾーン識別子が「位置要求応答」に付加される
ことによって信頼性が確保されてもよい。
【０１１１】
また、上述した第二および第三の実施形態では、個々の移動局について、加入者番号とゾーン識別子との組み合わせが予め登録された在圏ゾーンレジスタ５１がホームメモリ局８０Ａに備えられている。
しかし、在圏ゾーンレジスタ５１については、このような構成に限定されず、局間リンク６１-1〜６１-N、呼プロセッサ４１-1〜４１-Nおよび無線ゾーン９１-1〜９１-Nの対応関係が既知の情報として識別が可能である限り、例えば、ゾーン識別子に代えて対応する呼プロセッサを示すプロセッサ識別子や局間リンクを示す識別子が予め登録されてもよい。
【０１１２】
さらに、上述した第二および第三の実施形態では、ホームメモリ局８０Ａに在圏ゾーンレジスタ５１とゾーンレジスタ５２とが備えられている。
しかし、無線ゾーン９１-1〜９１-Nがそれぞれ呼プロセッサ４１-1〜４１-Nの配下に形成される場合には、在圏ゾーンレジスタ５１やゾーンレジスタ５２には、既述の「ゾーン識別子」に代えて対応する呼プロセッサを示す「プロセッサ識別子」が登録され、あるいは格納されてもよい。
【０１１３】
また、呼プロセッサ４１-1〜４１-Nの配下に形成されるべき無線ゾーンの数がこれらの呼プロセッサの数Ｎより大きく、これらの呼プロセッサ４１-1〜４１-Nの配下に個別に形成されるべき無線ゾーンの数が異なる場合には、上述した「ゾーン識別子」の組み合わせが在圏ゾーンレジスタ５１やゾーンレジスタ５２に格納されることによって、これらの無線ゾーンの数の組み合わせに対する整合が図られてもよい。
【０１１４】
さらに、移動体交換局７０Ａと関門交換局６０Ａとの間にはそれぞれ局間リンク６１-1〜６１-Nが敷設され、その移動体交換局７０Ａとホームメモリ局８０Ａとの間に通信リンク８１-1〜８１-Nが敷設されている。
しかし、これらの局間リンク６１-1〜６１-Nと通信リンク８１-1〜８１-Nとの双方あるいは何れか一方が信頼性の確保や負荷分散を目的として冗長に敷設された場合には、在圏ゾーンレジスタ５１やゾーンレジスタ５２には、上述した「ゾーン識別子」や「プロセッサ識別子」に代えて、着信先の移動局が在圏する無線ゾーンのチャネル制御や呼設定を行うべき個々の呼プロセッサとの間に所望の信号リンクとデータリンクとをそれぞれ形成する局間リンクと通信リンクとの双方あるいは何れかの識別子が登録され、かつ適宜更新されてもよい。
【０１１５】
図１４は、本発明の第四および第五の実施形態の動作を説明する図である。
図において、既述の第一の実施形態において行われる処理と同じ処理については、図５と同じ符号を付与して示し、ここでは、その説明を省略する。
図１５は、本発明の第四および第五の実施形態における移動体交換局の動作フローチャートである。
【０１１６】
図において、第一の実施形態において行われる処理と同じ処理については、図７と同じ符号を付与して示し、ここでは、その説明を省略する。
以下、図４、図１４および図１５を参照して本発明の第四の実施形態の動作を説明する。
なお、本実施形態は、請求項３に記載の発明に対応する。
【０１１７】
本実施形態の特徴は、呼プロセッサ４１-4が「ルーティング要求」を識別した時点で行う下記の処理と、その処理に連係して着信先の移動局９２が行う処理との手順にある。
また、本実施形態は既述の第一ないし第三の何れの実施形態においても同様に実現が可能であるが、以下の動作の説明については、簡単のため、第一の実施形態との対比において記述することとする。
【０１１８】
呼プロセッサ４１-4は、ホームメモリ局８０Ａによって送出され、かつ通信リンク８１-4を介して与えられた「ルーティング要求」を識別すると、その「ルーティング要求」に含まれる加入者番号ＩＤと「位置情報」とに基づいて下記の状態や情報を把握することによって、この加入者番号ＩＤで示される移動局９２に対する着信が可能か否かを判別する（図５(5))。
【０１１９】
・  加入者番号ＩＤで示される移動局９２に先行して何らかの呼が生起し、かつその呼が存続している状態
・  その移動局９２が自局の選択呼び出しに応答できない要因（例えば、加入者クラス、加入者情報）の有無
・  「位置情報」で示される無線ゾーン（ここでは、簡単のため、無線ゾーン９１-3であると仮定する。）における移動局９２の選択呼び出しを阻害する何らかの要因（例えば、輻輳状態、無線基地局の障害）の有無
さらに、呼プロセッサ４１-4は、この判別の結果が真である場合には、呼プロセッサ４１-4の識別子と上述した加入者番号ＩＤとを含む「在圏確認要求」を生成し、通信リンク７３を介して主プロセッサ７２宛にその「在圏確認要求」を送出する（図１４(A)、図１５(A))。
【０１２０】
主プロセッサ７２は、この「在圏確認要求」を識別すると、その「在圏確認要求」に含まれる加入者番号ＩＤを含む「在圏確認指令」を生成する（図１４(B))。さらに、主プロセッサ７２は、通信リンク７３を介して呼プロセッサ４１-1〜４１-Nの全て宛に、その「在圏確認指令」を送出する（図１４(C))。
呼プロセッサ４１-1〜４１-Nは、それぞれディジタル回線７１-11〜７１-1n、…、７１-N1〜７１-Nnを介して無線基地局９０-1〜９１-Nと並行して連係することによって、この「在圏確認指令」に含まれる加入者番号ＩＤで示される移動局９２の選択呼び出しを試行する（図１４(D)、図１５(B))。
【０１２１】
なお、このような選択呼び出しの過程において無線基地局９０-1〜９１-Nによって送出される「選択呼び出し信号」は、着信先の移動局９２が呼び出し音を生成することなく「在圏応答」を送出することの要求を意味する。
移動局９２が無線ゾーン９１-3に在圏する場合には、その移動局９２によって送出された「在圏応答」は、無線基地局９０-3によって受信され、かつディジタルリンク７１-31〜７１-3nの何れかとを介してサブモジュール７４-3に備えられた呼プロセッサ４１-3に伝達される（図１４(E))。
【０１２２】
呼プロセッサ４１-3は、通信リンク７３を介して主プロセッサ７２宛にこの「在圏応答」を送出する（図１４(F))。主プロセッサ７２は、通信リンク７３を介して呼プロセッサ４１-4宛にその「在圏応答」を送出する（図１４(G)、図１５(C))。
一方、呼プロセッサ４１-4は、上述した「在圏確認要求」を送出した時点を起点とする所定の期間内にこの「在圏応答」が得られるか否かを判別する。
【０１２３】
さらに、呼プロセッサ４１-4は、その判別の結果が偽であることを識別した場合には、該当する呼の呼設定およびチャネル制御を中断する（図１５(D))。
しかし、この判別の結果が真であることを識別した場合には、呼プロセッサ４１-1〜４１-Nの内、該当する着信呼の着信先である移動局９２が実際に在圏している無線ゾーン９１-3を形成する無線基地局９０-3と連係すべき呼プロセッサ（以下、「着信処理プロセッサ」という。）４１-3を特定する（図１４(H)、図１５(E))。
【０１２４】
さらに、呼プロセッサ４１-4は、該当する着信呼にユニークな呼識別情報ＴＬＤＮを割り付け、その呼識別情報ＴＬＤＮと上述した加入者番号ＩＤと「位置情報」とに併せて、特定された「着信処理プロセッサ」の識別子（以下、単に「プロセッサ識別子」という。）を含む「ルーティング要求応答」を生成すると共に、スイッチモジュール７５-4、ディジタルトランク７７Ｈ-4および通信リンク８１-4を介してホームメモリ局８０Ａ宛に、その「ルーティング要求応答」を送出する（図１４(b)、図１５(b))。
【０１２５】
すなわち、「ルーティング要求」に含まれる加入者番号ＩＤで示される移動局９２が選択呼び出しに対して実際に応答できることが確認されたときに限って、その移動局９２が在圏する無線ゾーン９１-3について呼設定およびチャネル制御を主導的に行うべき「着信処理プロセッサ」は、ホームメモリ局８０Ａ宛に通知される。
【０１２６】
したがって、着信先の移動局９２が在圏する無線ゾーン９１-3やその移動局９２が選択呼び出しに応答できることが実体的には確認されない第一ないし第三の実施形態に比べて、移動体交換局７０Ａにおいて行われる呼処理やチャネル制御にかかわる処理の効率の向上と、その処理に供されるべき資源の削減とが図られる。
【０１２７】
なお、本実施形態は、呼プロセッサ４１-4が下記の事項の全てあるいは一部を確認しない点で、既述の第一の実施形態と異なる。
・  呼プロセッサ４１-1〜４１-Nの負荷の分布
・  移動局９２の加入者情報
・  無線ゾーン９１-1〜９１-Nの地理的分布（ゾーン構成）
・  無線ゾーン９１-1〜９１-Nのトラヒックの分布
・  無線基地局９０-1〜９０-Nの稼働状況
・  移動局９２に先行して生起した完了呼の履歴
しかし、これらの事項については、上述した処理の効率の低下が許容されるならば、確認されてもよい。
【０１２８】
以下、図４、図１４および図１５を参照して本発明の第五の実施形態の動作を説明する。
なお、本実施形態は、請求項４に記載の発明に対応する。
本実施形態と既述の第四の実施形態との相違点は、「ルーティング要求」に応じて呼プロセッサ４１-1〜４１-Nが行う下記の処理の手順にある。
【０１２９】
呼プロセッサ４１-4は、ホームメモリ局８０Ａによって送出され、かつ通信リンク８１-4を介して与えられた「ルーティング要求」を識別し、かつ第四の実施形態と同様にして、加入者番号ＩＤで示される移動局９２に対する着信が基本的に可能であるとを識別する（図１４(5))と、通信リンク７３を介して主プロセッサ７２宛に、この加入者番号ＩＤと呼プロセッサ４１-4の識別子とを含む「在圏確認要求」を送出する（図１４(A)、図１５(A))。
【０１３０】
この「在圏確認要求」は、第四の実施形態と同様に、主プロセッサ７２が行う中継処理の下で「在圏確認指令」に変換され（図１４(B))、かつ通信リンク７３を介して呼プロセッサ４１-1〜４１-Nの全てに与えられる（図１４(C))。
呼プロセッサ４１-1〜４１-Nは、それぞれ無線基地局９０-1〜９１-Nと連係することによって、この「在圏確認指令」に含まれる加入者番号ＩＤで示される移動局９２の選択呼び出しを試行する（図１４(D)、図１５(B))。
【０１３１】
さらに、呼プロセッサ４１-1〜４１-Nは、それぞれ上述した選択呼び出しの試行を開始した時点を起点とする所定の期間内にこの「在圏応答」が得られるか否かを判別する。
また、移動局９２が無線ゾーン９１-3に在圏する場合には、その移動局９２によって送出された「在圏応答」は、無線基地局９０-3と、ディジタルリンク７１-31〜７１-3nの何れかとを介してサブモジュール７４-3に備えられた呼プロセッサ４１-3に伝達される。
【０１３２】
呼プロセッサ４１-3は、上述した期間内にこの「在圏応答」が与えられると、図１４および図１５に点線で示すように、この呼プロセッサ４１-3が「着信処理プロセッサ」であると認識するが、呼プロセッサ４１-4宛には、その「在圏応答」を送出しない（図１５(F))。。
また、呼プロセッサ４１-3は、該当する着信呼にユニークな呼識別情報ＴＬＤＮを割り付け、その呼識別情報ＴＬＤＮと「着信処理プロセッサ」の識別子（以下、単に「プロセッサ識別子」という。）と上述した加入者番号ＩＤとに併せて、既述の「位置情報」を含む「ルーティング要求応答」を生成すると共に、スイッチモジュール７５-3、ディジタルトランク７７Ｈ-3および通信リンク８１-3を介してホームメモリ局８０Ａ宛に、その「ルーティング要求応答」を送出する（図１４(b)、図１５(b))。
【０１３３】
すなわち、「ルーティング要求」に含まれる加入者番号ＩＤで示される移動局９２が実際に在圏し、かつ上述した選択呼び出しの試行に応答した無線ゾーンについて呼設定およびチャネル制御を主導的に行うべき「着信処理プロセッサ」は、その「ルーティング要求」を識別した呼プロセッサ４１-4に代わって、ホームメモリ局８０Ａ宛に、「ルーティング要求応答」を直接送出する。
【０１３４】
したがって、本実施形態によれば、このような「ルーティング要求応答」が主プロセッサ７２が行う中継処理の下で呼プロセッサ４１-4を介してホームメモリ局８０Ａ宛に送出される第四の実施形態に比べて、呼処理およびチャネル制御の簡略化がはかられ、サービス品質の向上とコストの削減とが図られる。
【０１３５】
なお、本実施形態では、上述した動作は、既述の第四の実施形態の対比において記述されている。
しかし、着信先の移動局９２が在圏する無線ゾーンの候補にかかわるチャネル制御や呼設定を行う呼プロセッサに対して、「ルーティング要求」を識別した呼プロセッサが既述の「ルーティング要求応答」を送出する処理を要求し、あるいは一任することができるならば、本実施形態は、例えば、既述の第一ないし第三の実施形態のように、着信先の移動局９２が在圏する無線ゾーンや「着信処理プロセッサ」が実体的に確認されない場合であっても実現が可能である。
【０１３６】
図１６は、本発明の第六の実施形態における関門交換機の動作フローチャートである。
図において、第一の実施形態において行われる処理と同じ処理については、図６と同じ符号を付与して示し、ここでは、その説明を省略する。
以下、図４および図１６を参照して本発明の第六の実施形態の動作を説明する。
【０１３７】
なお、本実施形態は、請求項１１、１３に記載の発明に対応する。
本実施形態と既述の第一の実施形態との相違点は、ホームメモリ局８０Ａと関門交換機６０Ａとによって行われる下記の処理の手順にある。
ホームメモリ局８０Ａは、呼プロセッサ４１-4（あるいは呼プロセッサ４１-3）から通信リンク８１-4（８１-3）を介して与えられた「ルーティング要求応答」を識別すると、その「ルーティング要求応答」に含まれる呼識別情報ＴＬＤＮ、加入者番号ＩＤ、「位置情報」およびプロセッサ識別子に併せて、この加入者番号ＩＤに対応して予め登録された加入者クラスを含む「位置要求応答」を生成し、かつ通信リンク６２を介して関門交換局６０Ａ宛にこの「位置要求応答」を送出する。
【０１３８】
関門交換局６０Ａは、その「位置登録応答」に含まれる加入者クラスを取得し、この加入者クラスが「本願発明の適用の下でサービスが提供されるべき移動局」を示すか否かを判別する（図１６(A))。
さらに、関門交換局６０Ａは、その判別の結果が偽である場合には、予め決められた手順に基づいて該当する着信呼の呼処理を中断する（図１６(B))。
【０１３９】
なお、このような呼処理の手順については、本願発明の特徴ではなく、かつ公知の多様な技術の適用の下で実現が可能であるので、ここでは、その詳細な説明を省略する。
しかし、上述した判別の結果が真である場合には、関門交換局６０Ａは、上述した「位置要求応答」に含まれる呼識別情報ＴＬＤＮ、加入者番号ＩＤおよび「位置情報」を含む「アドレスメッセージ」を生成し、かつ局間リンク６１-1〜６１-Nの内、既述の「位置要求応答」に含まれる「プロセッサ番号」に対応する局間リンクを介して移動体交換局７０Ａ宛に、その「アドレスメッセージ」を送出する（図１６(a))。
【０１４０】
すなわち、「アドレスメッセージ」の宛先は、該当する着信呼の着信先となるべき移動局９２の加入者クラスが所定の加入者クラスである場合に限って、「その移動局９２が在圏し、あるいは在圏する可能性が高い無線ゾーンについて呼設定を行うべき呼プロセッサ」に設定される。
したがって、本実施形態によれば、保守、運用、課金およびサービスにかかわる多様な体系に対する柔軟な適応が可能となり、かつ従来例に比べて、資源の利用効率とサービス品質との向上とに併せて、ランニングコストの削減が図られる。
【０１４１】
なお、本実施形態は、既述の第一の実施形態との対比において記述されている。
しかし、本実施形態は、上述したように着信先となるべき移動局９２の加入者クラスがホームメモリ局８０Ａによって特定され、かつ関門交換局６０Ａに確実に伝達される限り、第二ないし第五の実施形態においても実現が可能である。
【０１４２】
また、本実施形態では、関門交換局６０Ａは、着信先となるべき移動局９２の加入者クラスのみに着目して既述の判別を行っている。
しかし、所望の保守、運用、課金およびサービスの体系に適応するならば、このような加入者クラスに代えてサービスオーダ、トラヒックの分布、各部の負荷の分布その他の如何なる属性に基づいて同様の判別が行われてもよい。
【０１４３】
さらに、上述した各実施形態では、移動体交換機７０Ａの配下に形成される無線ゾーン９１-1〜９１-Nの内、何れかが異なる位置登録ゾーンに属し、かつ「ルーティング要求」を識別した呼プロセッサによって「着信処理プロセッサ」あるいはその「着信処理プロセッサ」の候補が選定されている。
しかし、このような「着信処理プロセッサ」あるいはその候補については、例えば、無線ゾーン９１-1〜９１-Nの全てが同一の位置登録ゾーンに該当する場合には、関門交換機６０Ａによって決定されてもよい。
【０１４４】
【発明の効果】
上述したように請求項１に記載の発明では、生起した呼が完了呼となるために呼設定を行うべき分散呼処理手段は、ホームメモリ局と関門交換局とが連係することによって行われ、あるいはこの関門交換局が単独で行う中継交換の過程で確度高く決定され、その呼設定にかかわる処理の簡略化と効率化とが図られる。
【０１４５】
また、請求項２に記載の発明では、請求項１に記載の発明に比べて呼処理の手順の簡略とその呼処理に要する処理量の削減とが図られ、かつ分散呼処理手段によって実現される多様な負荷分散の形態に対する柔軟な適応が可能となる。
さらに、請求項３に記載の発明では、移動局に着信すべき着信呼の完了呼率が高められる。
【０１４６】
また、請求項４に記載の発明では、複数の分散呼処理手段によって行われた選択呼び出しの結果を取りまとめる処理が何れかの分散呼処理手段によって行わなければならない場合に比べて、これらの分散呼処理手段によって行われるべき処理の簡略化が図られる。
さらに、請求項５に記載の発明では、着信先の移動局に対する着信の可否がホームメモリ局以外の主導の下で行われる場合に比べて、完了呼率が大幅に低下することなく、分散呼処理手段が行うべき呼設定の負荷が軽減される。
【０１４７】
また、請求項６に記載の発明では、個々の無線ゾーンのチャネル制御に整合した呼処理が複数の分散呼処理手段によって分散処理として行われる場合であっても、完了呼率が大幅に低下することなく、呼設定の負荷が軽減される。
さらに、請求項７に記載の発明では、着信先の移動局が位置する無線ゾーンのチャネル制御に整合した呼処理を行うべき移動体交換局以外の他の移動体交換局にも位置情報と呼の識別子とが並行して通知される場合に比べて、これらの他の移動体交換局で無用に呼処理が行われことが回避される。
【０１４８】
また、請求項８に記載の発明では、サブモジュールに分散が図られた負荷の増加が抑制されつつ、移動体交換局の多様な負荷分散の形態に対する柔軟な適応が可能となる。
さらに、請求項９に記載の発明では、個々の移動体交換局に負荷分散を目的として備えられた複数のサブモジュールで呼処理が無用に並行して行われことが回避される。
【０１４９】
また、請求項１０に記載の発明では、個々の移動体交換局がそれぞれ複数のサブモジュールに負荷分散が図られた場合であっても、これらの移動体交換局における負荷の増加の抑制と、多様な負荷分散の形態に対する柔軟な適応が可能となる。
さらに、請求項１１、１３に記載の発明では、個々の移動体交換局に適用された負荷分散の形態だけではなく、多様なサービスの形態に対する柔軟な適応が可能となる。
【０１５０】
また、請求項１２に記載の発明では、位置登録の過程で取得された位置情報が有効に活用され、かつ呼処理に供される資源の削減とサービス品質の向上とが図られる。
したがって、これらの発明が適用された移動通信システムでは、個々の移動体交換局が負荷分散方式に基づいて分散処理として呼処理を行うことによって達成される高い信頼性が損なわれることなく、これらの移動体交換局と関門交換局およびホームメモリ局の多様な機能分散の形態に柔軟に適応しつつ安価にサービス品質の向上が図られる。
【図面の簡単な説明】
【図１】本発明にかかわる移動体交換機の原理ブロック図である。
【図２】本発明にかかわるホームメモリ・ノード装置の原理ブロック図である。
【図３】本発明にかかわる関門交換機の原理ブロック図である。
【図４】本発明の実施形態を示す図である。
【図５】本発明の第一の実施形態の動作を説明する図である。
【図６】本発明の第一の実施形態における関門交換局の動作フローチャートである。
【図７】本発明の第一の実施形態における移動体交換局の動作フローチャートである。
【図８】呼識別情報の構成を示す図である。
【図９】本発明の第二および第三の実施形態の動作を説明する図である。
【図１０】本発明の第二および第三の実施形態におけるホームメモリ局の動作フローチャートである。
【図１１】本発明の第二および第三の実施形態における移動体交換局の動作フローチャートである。
【図１２】在圏ゾーンレジスタの構成を示す図である。
【図１３】ゾーンレジスタの構成を示す図である。
【図１４】本発明の第四および第五の実施形態の動作を説明する図である。
【図１５】本発明の第四および第五の実施形態における移動体交換局の動作フローチャートである。
【図１６】本発明の第六の実施形態における関門交換局の動作フローチャートである。
【図１７】分散処理方式が適用された移動通信システムの構成例を示す図である。
【図１８】従来例の動作を説明する図である。
【図１９】従来例における関門交換局の動作フローチャートである。
【図２０】従来例におけるホームメモリ局の動作フローチャートである。
【図２１】従来例における移動体交換局の動作フローチャートである。
【符号の説明】
１０，２６，６０，６０Ａ  関門交換局
１１，３１，９０  無線基地局
１２，２１，３２，９２  移動局
１３  分散呼処理手段
１４，３５  通話路形成手段
１５，３６，８０，８０Ａ  ホームメモリ局
２０，９１  無線ゾーン
２２  ホームメモリ
２３，３３，７０，７０Ａ  移動体交換局
２４  制御手段
２５，３７，７４  サブモジュール
３４  呼処理手段
４１，７６  呼プロセッサ（ＣＰＲ）
５１  在圏ゾーンレジスタ
５２  ゾーンレジスタ
６１  局間リンク
７１  ディジタルリンク
７２  主プロセッサ（ＭＰＲ）
７３，６２，８１  通信リンク
７５  スイッチモジュール
７７Ｇ，７７Ｈ，７７Ｂ  ディジタルトランク（ＤＴ）
【図１】
0004265850.tif 000002
【図２】
0004265850.tif 000003
【図３】
0004265850.tif 000004
【図４】
0004265850.tif 000005
【図５】
0004265850.tif 000006
【図６】
0004265850.tif 000007
【図７】
0004265850.tif 000008
【図８】
0004265850.tif 000009
【図９】
0004265850.tif 000010
【図１０】
0004265850.tif 000011
【図１１】
0004265850.tif 000012
【図１２】
0004265850.tif 000013
【図１３】
0004265850.tif 000014
【図１４】
0004265850.tif 000015
【図１５】
0004265850.tif 000016
【図１６】
0004265850.tif 000017
【図１７】
0004265850.tif 000018
【図１８】
0004265850.tif 000019
【図１９】
0004265850.tif 000020
【図２０】
0004265850.tif 000021
【図２１】
0004265850.tif 000022